(57)【特許請求の範囲】
【請求項１】
設定されたチャネルにより無線送信される信号を受信する少なくとも２つの受信部と、
ハンドオフ元の基地局のチャネルが設定されていた１つの受信部について、ハンドオフ先の基地局のチャネルに切り替えるハンドオフを実行させるハンドオフ制御手段と、
前記ハンドオフの実行後において、前記１つの受信部によりハンドオフ先の基地局からの着信通知の受信を監視させ、前記１つの受信部以外の他の受信部によりハンドオフ元の基地局のチャネルからの着信通知の受信を一定時間監視させる着信通知監視制御手段と、
を備えることを特徴とする移動端末装置。
【請求項２】
前記他の受信部により前記ハンドオフ元の基地局からの着信通知が受信された場合には、前記他の受信部に前記ハンドオフ元の基地局に対する待ち受け状態を設定する第１の通信制御手段をさらに備える、
ことを特徴とする請求項１に記載の移動端末装置。
【請求項３】
前記第１の通信制御手段は、
前記ハンドオフ元の基地局に対する待ち受け状態を前記他の受信部に設定する際に、前記１つの受信部をオフとする、
ことを特徴とする請求項２に記載の移動端末装置。
【請求項４】
前記他の受信部により前記ハンドオフ元の基地局からの着信通知が受信されなかった場合には、前記ハンドオフの実行に応じた位置登録の更新を行うとともに、前記ハンドオフ先の基地局に対する待ち受け状態を前記１つの受信部に設定する第２の通信制御手段をさらに備える、
ことを特徴とする請求項１乃至３のいずれかに記載の移動端末装置。
【請求項５】
前記第２の通信制御手段は、
前記ハンドオフ先の基地局に対する待ち受け状態を前記１つの受信部に設定する際に、前記他の受信部をオフとする、
ことを特徴とする請求項４に記載の移動端末装置。
【請求項６】
設定されたチャネルにより無線送信される信号を受信する少なくとも２つの受信部のうち、ハンドオフ元の基地局のチャネルが設定されていた１つの受信部について、ハンドオフ先の基地局のチャネルに切り替えるハンドオフを実行させるハンドオフ制御手順と、
前記ハンドオフの実行後において、前記１つの受信部によりハンドオフ先の基地局からの着信通知の受信を監視させ、前記１つの受信部以外の他の受信部によりハンドオフ元の基地局のチャネルからの着信通知の受信を一定時間監視させる着信通知監視制御手順と、
を備えることを特徴とする移動端末装置の通信制御方法。
【請求項７】
移動端末装置に、
設定されたチャネルにより無線送信される信号を受信する少なくとも２つの受信部のうち、ハンドオフ元の基地局のチャネルが設定されていた１つの受信部について、ハンドオフ先の基地局のチャネルに切り替えるハンドオフを実行させるハンドオフ制御手順と、
前記ハンドオフの実行後において、前記１つの受信部によりハンドオフ先の基地局からの着信通知の受信を監視させ、前記１つの受信部以外の他の受信部によりハンドオフ元の基地局のチャネルからの着信通知の受信を一定時間監視させる着信通知監視制御手順と、
を実行させるためのプログラム。
【発明の詳細な説明】
【技術分野】
【０００１】
本発明は、セル方式の通信網において使用される移動端末装置と、当該移動端末装置が実行する通信制御方法に関する。また、移動端末装置に実行させるプログラムに関する。
【背景技術】
【０００２】
セル方式が採用される移動通信システムでは、移動端末装置が或るセルから次のセルに移動するという状況が当然に生じる。この際、移動端末装置と基地局の間で自動的に移行先セルの無線チャネルに切り替えるハンドオフ（ハンドオーバー）が行われる（例えば、特許文献１参照）。これにより、通信中において移動端末装置が複数のセル間を移動するような状況においても通信が切断されてしまうことがない。
【先行技術文献】
【特許文献】
【０００３】
【特許文献１】特開２００７−１７４２８２号公報
【発明の概要】
【発明が解決しようとする課題】
【０００４】
ハンドオフの実行後、移動端末装置はネットワークに対して位置登録を更新する。この位置登録の更新が行われることにより、ハンドオフ先の基地局は、移動端末装置を自己のセルに位置しているものとして管理することができる。しかし、ハンドオフが実行されてから位置登録の更新が完了するまでの間に若干のタイムラグが生じることがある。
【０００５】
位置登録が更新されないかぎり、ハンドオフ元の基地局は、未だ移動端末装置を自己が管理すべきであると認識しており、したがって移動端末装置への着信通知はハンドオフ元の基地局が行うことになる。このために、移動端末装置のチャンネルは既にハンドオフ先の基地局に切り替えられているのにも係わらず、着信通知はハンドオフ元の基地局から送信されるという状況が生じ得る。この場合、移動端末装置は、着信を受けられないことになる。このように、現状においては、ハンドオフの発生後において移動端末装置が着信通知を受信できなくなる可能性がある。この着信通知は基地局側の制御に依存するために、現状のままでは、移動端末装置側でこのような着信通知のエラーを回避することは非常に困難である。
【０００６】
本発明は上記の課題を解決することのできる移動端末装置、移動端末装置の通信制御方法、プログラムを提供することを目的とする。
【課題を解決するための手段】
【０００７】
本発明は、設定されたチャネルにより無線送信される信号を受信する少なくとも２つの受信部と、ハンドオフ元の基地局のチャネルが設定されていた１つの受信部について、ハンドオフ先の基地局のチャネルに切り替えるハンドオフを実行させるハンドオフ制御手段と、前記ハンドオフの実行後において、前記１つの受信部によりハンドオフ先の基地局からの着信通知の受信を監視させ、前記１つの受信部以外の他の受信部によりハンドオフ元の基地局のチャネルからの着信通知の受信を一定時間監視させる着信通知監視制御手段と、を備えることを特徴とする移動端末装置である。
【０００８】
また、本発明は、設定されたチャネルにより無線送信される信号を受信する少なくとも２つの受信部のうち、ハンドオフ元の基地局のチャネルが設定されていた１つの受信部について、ハンドオフ先の基地局のチャネルに切り替えるハンドオフを実行させるハンドオフ制御手順と、前記ハンドオフの実行後において、前記１つの受信部によりハンドオフ先の基地局からの着信通知の受信を監視させ、前記１つの受信部以外の他の受信部によりハンドオフ元の基地局のチャネルからの着信通知の受信を一定時間監視させる着信通知監視制御手順と、を備えることを特徴とする移動端末装置の通信制御方法である。
【０００９】
また、本発明は、移動端末装置に、設定されたチャネルにより無線送信される信号を受信する少なくとも２つの受信部のうち、ハンドオフ元の基地局のチャネルが設定されていた１つの受信部について、ハンドオフ先の基地局のチャネルに切り替えるハンドオフを実行させるハンドオフ制御手順と、前記ハンドオフの実行後において、前記１つの受信部によりハンドオフ先の基地局からの着信通知の受信を監視させ、前記１つの受信部以外の他の受信部によりハンドオフ元の基地局のチャネルからの着信通知の受信を一定時間監視させる着信通知監視制御手順と、を実行させるためのプログラムである。
【発明の効果】
【００１０】
本発明によれば、移動端末装置がハンドオフを実行した後のタイミングにおいても、着信通知をより確実に受信することが可能になる。
【図面の簡単な説明】
【００１１】
【図１】本発明の実施の形態における無線通信システムの構成例を示す図である。
【図２】本発明の実施の形態における移動端末装置１０の構成例を示す図である。
【図３】移動端末装置１０が実行する通信制御の処理手順例を示すフローチャートである。
【図４】移動端末装置１０が実行する通信制御の他の処理手順例を示すフローチャートである。
【発明を実施するための形態】
【００１２】
図１は、本発明を実施するための形態（実施の形態）に対応する通信システムの全体構
成例を模式的に示している。本実施の形態に対応する通信システムは、セル方式が採用された移動体通信に対応するもので、図においては、移動端末装置１０と基地局２０Ａおよび２０Ｂが示されている。
【００１３】
移動端末装置１０は、ユーザが携帯可能なように構成された端末装置であり、その具体例として携帯電話を挙げることができる。また、この図においては、２つの基地局２０Ａ、２０Ｂが示されている。基地局２０Ａのセル１００Ａと、基地局２０Ｂのセル１００Ｂは、互いに隣接して形成されているものとする。なおセルとは基地局からの通信可能範囲を示すものである。
【００１４】
セル１００Ａとセル１００Ｂとの境界近傍では、互いに弱電界で重複する領域が形成される。このような領域はフリンジエリアなどともいわれ、安定して電波を受信できない場合がある。図において、波線で示すセル１００Ａとセル１００Ｂが重複している範囲をフリンジエリア１０１として示している。
【００１５】
上記図１において、次のような状況を想定する。つまり、移動端末装置１０は、はじめはセル１００Ａにおいて基地局２０Ａからの電波を十分な強度で受信できる場所に位置していた。しかし、移動端末装置１０がセル１００Ｂの方向に移動していった結果、移動端末装置１０はフリンジエリア１０１に位置することとなった、というものである。このような状況に至った場合、移動端末装置１０は、セル１００Ｂに対応するチャネルに切り替えるために基地局２０Ｂとハンドオフ処理を行う可能性がある。この場合、基地局２０Ａがハンドオフ元であり、基地局２０Ｂがハンドオフ先であることになる。そこで、以降、基地局２０Ａ、２０については、それぞれ、ハンドオフ元基地局２０Ａ、ハンドオフ先基地局２０Ｂとも記載する。
【００１６】
上記のように移動端末装置１０がハンドオフ先基地局２０Ｂとハンドオフを行ったとする。ハンドオフを行った後は、ネットワークへの位置登録を更新することになるが、例えば何らかの要因によって或る時間を経過しても位置登録の更新が完了しないという状況に陥る場合がある。位置登録の更新が完了するまで、ハンドオフ元基地局２０Ａは、未だ移動端末装置１０が自己のセル１００Ａ内に位置しているものと認識している。したがって、このときの移動端末装置１０に対する着信通知は、ハンドオフ元基地局２０Ａから送信される。しかし、この段階で、移動端末装置１０自体は、既にハンドオフ先基地局２０Ｂとハンドオフを成立させているため、ハンドオフ先基地局２０Ｂのチャネルに切り替わっている。このため、移動端末装置１０はハンドオフ元基地局２０Ａからの着信通知を受信できなくなるという不具合が生じる。このように、移動端末装置１０がハンドオフを実行した後において着信通知を受信できなくなる可能性がある。
【００１７】
そこで、本実施の形態としては、ハンドオフ後において位置登録が完了するまでの間にハンドオフ元基地局２０Ａから着信通知が送信されたとしても、これを受信できるようにするものである。
【００１８】
図２は、移動端末装置１０の構成例を示している。この図に示す移動端末装置１０は、第１受信部１１−１、第２受信部１１−２、送信部１２、送受信処理部１３およびアンテナ１４を備えて構成される。
【００１９】
第１受信部１１−１は、アンテナ１４にて受信された受信信号を入力して復調をはじめとする所定の受信処理を実行する。上記所定の受信処理として、本実施の形態では、後述するように待ち受け時の間欠受信動作や着信通知監視などを実行する。第２受信部１１−２は、上記第１受信部１１−１と同じ機能を有する部位である。受信部１１に対応する機能部は、通常、移動体端末において１つのみが備えられる。本実施の形態では、この機能部を複数備えるものである。
【００２０】
送信部１２は、アンテナ１４から送出すべき送信信号について所定の処理を実行する。また、送受信処理部１３は、信号の送受信に関する制御、処理を実行する。第１受信部１１−１、第２受信部１１−２および送信部１２に対する制御を実行することで移動端末装置１０の通信を実現する部位である。
【００２１】
図３のフローチャートは、上記構成による移動端末装置１０が実行する通信制御のための処理手順例を示している。なお、この図に示す処理手順は、送受信処理部１３がプログラムを実行することにより実現されるものとしてみることができる。
【００２２】
また、図３のフローチャートにおいて、第１受信部１１−１と第２受信部１１−２を区別して特定するにあたり、変数ｎ、ｍを用いる。変数ｎ、ｍは、互いに一方が「１」であれば他方は「２」となるように設定される。すなわち、例えば変数ｎに「１」が代入され、変数ｍに「２」が代入されていれば、第ｎ受信部１１−ｎは第１受信部１１−１を特定し、第ｍ受信部１１−ｍは第２受信部１１−２を特定することになる。以降の説明にあたり、はじめに、変数ｎには「１」が代入され、変数ｍには「２」が代入されているものとする。
【００２３】
まず、送受信処理部１３は、ステップＳ１０１においてハンドオフ元基地局２０Ａのチャネルを設定して待ち受け状態としている。このとき、移動端末装置１０は、セル１００Ａにおいてハンドオフ元基地局２０Ａから十分な強度の電波を受信可能な位置にある。そのうえで、この待ち受け状態において、送受信処理部１３は、ステップＳ１０２によって、第１受信部１１−１（ｎ＝１）に間欠受信動作を実行させるように制御している。なお、この際、第２受信部１１−２（ｍ＝２）は受信動作を実行させることなくオフ状態としている。
【００２４】
上記ステップＳ１０２による間欠受信による待ち受け状態のもとで、送受信処理部１３は、ステップＳ１０３においてハンドオフが発生するのを待機している。ここで、移動端末装置１０が移動してフリンジエリア１０１もしくはセル１００Ｂに移動したような状態に至ったとする。これに応じて、送受信処理部１３は、第１受信部１１−１（ｎ＝１）と送信部１２を制御して、ハンドオフ先基地局２０Ｂとハンドオフのための通信を実行する。この結果、ハンドオフ先基地局２０Ｂへのハンドオフが成立すると、ステップＳ１０３にてハンドオフが発生したと判定し、ステップＳ１０４以降に進む。なお、上記のようにハンドオフを実行する送受信処理部１３は、例えば特許請求の範囲に記載のハンドオフ制御手段に対応する。
【００２５】
ステップＳ１０４において、送受信処理部１３は、第１受信部１１−１（ｎ＝１）をハンドオフ先基地局２０Ｂのチャネルに切り替えた状態で間欠受信動作を実行させる。これにより、第１受信部１１−１（ｎ＝１）にハンドオフ先基地局２０Ｂから送信される着信通知を監視させる。また、これと同時に、送受信処理部１３は、ステップＳ１０５において、第２受信部１１−２（ｍ＝２）をオンとしてハンドオフ元基地局２０Ａのチャネルを設定する。これにより、第２受信部１１−２（ｍ＝２）にハンドオフ元基地局２０Ａから送信される着信通知を監視させる。なお、上記ステップＳ１０４およびＳ１０５において着信通知を監視させる制御を実行する送受信処理部１３は、特許請求の範囲に記載の着信通知制御手段に対応する。
【００２６】
通常のハンドオフ手順では、例えば新たなハンドオフの発生後に直ちにハンドオフ先基地局２０Ｂのチャネルのみに対応した待ち受け状態を設定する。これに対して、本実施の形態は、上記のようにハンドオフの発生後に、まずハンドオフ先基地局２０Ｂおよびハンドオフ元基地局２０Ａの着信通知を監視可能な状態を設定する。これにより、例えばハンドオフ元基地局２０Ａから着信通知が送信された場合であっても、一定以上の電界強度が得られているかぎりは、これを確実に受信することができる。
【００２７】
そして、上記のようにハンドオフ先基地局２０Ｂおよびハンドオフ元基地局２０Ａからの着信通知の監視を開始させた後、送受信処理部１３は、ステップＳ１０６により、例えば一定時間内においてハンドオフ元基地局２０Ａからの着信通知が受信されるのを待機する。このときに、第２受信部１１−１（ｍ＝２）がハンドオフ元基地局２０Ａから送信された着信通知を受信したとすると、第２受信部１１−２（ｍ＝２）から送受信処理部１３に対してその旨の通知が行われる。これに応じて、送受信処理部１３は、ステップＳ１０６にて着信通知が受信されたと判定し、ステップＳ１０７以降の手順に進む。
【００２８】
上記の着信通知に応じて、送受信処理部１３は、ステップＳ１０７において、ハンドオフ元基地局２０Ａ経由によって通信相手との通信を確立するための処理を実行する。そして、送受信処理部１３は、例えば移動端末装置１０に対する通信終了操作や通信相手側からの切断などに応じて、ステップＳ１０８により正常に通信を終了させる。このようにハンドオフ元基地局２０Ａを経由した通信が正常に行われた場合には、以降においても、ハンドオフ元基地局２０Ａとは十分な電界強度により通信が可能であることが高い確率で推定される。
【００２９】
そこで、送受信処理部１３は、ステップＳ１０９において、変数ｍ、ｎの値の入れ替えを行う。具体的には、これまでは、変数ｎが「１」で変数ｍが「２」であったため、ステップＳ１０９により、変数ｎが「２」で変数ｍが「１」となる。そのうえで、ステップＳ１０１に戻る。これにより、ハンドオフ元基地局２０Ａのチャネルが設定されていた第１受信部１１−１（ｍ＝１）について、引き続き待ち受け状態を設定することができる。このようにステップＳ１０９を実行してステップＳ１０１に戻る手順を実行する送受信処理部１３は、例えば特許請求の範囲に記載の第１の通信制御手段に対応する。
【００３０】
これに対して、ステップＳ１０６にて、一定時間内においてハンドオフ元基地局２０Ａからの着信通知が受信されなかったと判定した場合には、ハンドオフ先基地局２０Ｂのほうが電界強度などの点でより確実に着信通知を受信できる可能性が高いと推測できる。
【００３１】
そこで、この場合の送受信処理部１３は、ステップＳ１１０において、位置登録を更新させる。ステップＳ１１０により位置登録が完了すると、これまでハンドオフ先とされていた基地局２０Ｂは、ハンドオフ元として扱われる。そのうえで、送受信処理部１３は、ステップＳ１０１に戻る。これにより、ハンドオフ先基地局２０Ｂのチャネルに既に切り替えが行われている第１受信部１１−１（ｎ＝１）に対してハンドオフ先基地局２０Ｂに対する待ち受け状態が設定され（ステップＳ１０１）、間欠受信動作が行われる（ステップＳ１０２）。この際には、これまで基地局２０Ａのチャネルが設定されていた第２受信部１１−２（ｍ＝２）はオフとなる。このように、ハンドオフ発生前の待ち受け状態においては、２つの受信部１１をともにオンとせずに、そのときにハンドオフ元である基地局２０のチャンネルが設定された１つの受信部１１のみをオンとする。これにより、定常的に２つの受信部１１をオンとする場合と比較して消費電力を抑えることができる。なお、ステップＳ１１０からステップＳ１０１に戻る手順を実行する送受信処理部１３は、特許請求の範囲に記載の第２の通信制御部に対応する。
【００３２】
図４のフローチャートは、移動端末装置１０が実行する通信制御としての他の処理手順例を示している。なお、この図において、図３と同じステップについては同一符号を付して、その説明については省略する。
【００３３】
図４において、送受信処理部１３は、ステップＳ１０７によりハンドオフ元基地局２０Ａ経由で通信相手との通信を確立させた後において、ステップＳ１０７−１による判定を行う。ステップＳ１０７−１において、送受信処理部１３は、ハンドオフ元基地局２０Ａ経由で通信相手との通信を行っているときに、セル１００Ａの電界強度が弱まったことによる通信の切断が発生したか否かについて判定する。
【００３４】
上記ステップＳ１０７−１において切断が発生していないことが判定されたまま、例えば正常に通信が終了すれば、図３の場合と同様に、ステップＳ１０８およびステップＳ１０９の処理を実行したうえで、ステップＳ１０１に戻る。
【００３５】
これに対して、ステップＳ１０７−１において切断が発生したことが判定された場合には、例えばステップＳ１０７での通信確立時よりもセル１００Ａの電界強度が弱まっており、以降も通信が復帰する可能性は低いと推定できる。そこで、この場合の送受信処理部１３は、ステップＳ１１０以降の手順に進む。すなわち、ハンドオフ先基地局２０Ｂ経由での通信を優先させるように移動端末装置１０の設定を行うものである。
【００３６】
このように本実施の形態においては、ハンドオフ発生から位置登録の更新が行われるまでの期間においてハンドオフ元基地局２０Ａからの着信通知があったとしても、この着信通知を逃すことなく受信することが可能になる。また、ハンドオフ発生後のハンドオフ元基地局２０Ａからの着信通知の有無に応じて、ハンドオフ発生後においてハンドオフ元基地局２０Ａとハンドオフ先基地局２０Ｂのいずれと通信を行うべきかを適切に決定することができる。
【００３７】
なお、本実施の形態において説明した処理手順は、これら一連の手順を有する方法として捉えることができる。また、これら一連の手順をコンピュータに実行させるためのプログラムまたはそのプログラムを記憶する記録媒体として捉えることができる。この記録媒体としては、例えば、ブルーレイディスク（Ｂｌｕ−ｒａｙ  Ｄｉｓｃ（登録商標））、ＤＶＤ（Ｄｉｇｉｔａｌ  Ｖｅｒｓａｔｉｌｅ  Ｄｉｓｋ）、ＨＤＤ（ハードディスク）、メモリカード等を挙げることができる。
なお、上述の処理の説明に用いた図３，図４において「Ｙ」はＹｅｓを、また「Ｎ」はＮｏを示している。
【符号の説明】
【００３８】
１０  移動端末装置
１１−１  第１受信部
１１−２  第２受信部
１２  送信部
１３  送受信処理部
１４  アンテナ
２０Ａ  ハンドオフ元基地局
２０Ｂ  ハンドオフ先基地局
【図１】
0005729760.tif 000002
【図２】
0005729760.tif 000003
【図３】
0005729760.tif 000004
【図４】
0005729760.tif 000005